(57)【要約】      （修正有）【課題】より確実にあくのみを除去することができるあく取り器を提供する。【解決手段】あく取り器Ｓは、窪みを備え、縁部近傍に排出部が形成された本体１と、下部に隙間を形成しつつ本体に固定され、窪みを、排出部が形成されている後室１２と排出部が形成されない前室１１に区切るための仕切り２を有するものである。また、前室にて液体をすくい、前室には液体の浮遊物を残し、後室の前記排出部にて浮遊物が分離された液体を排出部にて排出させるためのものである。【選択図】図１
0003229068.tif 000002
【実用新案登録請求の範囲】
【請求項１】
窪みを備え、縁部近傍に排出部が形成された本体と、
下部に隙間を形成しつつ前記本体に固定され、前記窪みを、前記排出部が形成されている後室と前記排出部が形成されない前室に区切るための仕切りを有するあく取り器。
【請求項２】
前記前室にて液体をすくい、前記前室には前記液体の浮遊物を残し、前記後室の前記排出部にて前記浮遊物が分離された液体を前記排出部にて排出させるための請求項１記載のあく取り器。
【請求項３】
前記隙間の上端は、前記排出部の下端より低い位置にある請求項１記載のあく取り器。
【請求項４】
前記仕切りの上端は前記本体の前記縁部以上の高さとなっている請求項１のあく取り器。
【考案の詳細な説明】
【技術分野】
【０００１】  本項案は、あく取り器に関する。より具体的には、液体表面に浮かぶ浮遊物を分離しようとするときに液体を同時に除去してしまうことを防止するあく取り器に関する。
【背景技術】
【０００２】  一般に、料理において、液体などのスープを取り分ける際には、いわゆる「おたま」等の調理器具を用いている。【０００３】  一方で、スープ等の液体が多く含まれる料理には「あく」などの浮遊物が液体表面に浮遊してしまうため、この「あく」をうまく除去することが必要となる。【０００４】  しかしながら上記おたまでは、あくと一緒に鍋などの中の液体つまりスープまでかなりの量を取ってしまう、その結果せっかく取ったスープの量が減るという欠点を有している。【０００５】  また、これに対し、公知の技術として、例えば下記特許文献１には、「あく」を取り除くためのあく取り器が開示されている。
【先行技術文献】
【特許文献】
【特許文献】特開平８−１８２６３０号公報
【考案の概要】
【考案が解決しようとする課題】
【０００６】  しかしながら、上記特許文献１に記載の技術も、上記おたまと同様、液体から浮遊物を効果的に除去する点において課題が残る。また、上記特許文献１に記載の技術はあく取りを行うための専用品であり、これ以外の用途に用いることは容易ではない。【０００７】  そこで本考案は、上記課題を解決し、調理具としても使用可能であり、より確実にあくのみを除去することができるあく取り器を提供することを目的とする。
【課題を解決するための手段】
【０００８】  本考案者は、上記課題について鋭意検討を行ったところ、おたまなどの窪みを備えた本体に排出部を形成するとともに浮遊物と液体を分けるための仕切りを設けることでおたまと同様の使い勝手を備えるとともに効果的に液体と浮遊物を分離できることを発見し、本項案を完成させるに至った。【０００９】  すなわち、本考案の一観点に係るあく取り器は、窪みを備え、縁部近傍に排出部が形成された本体と、下部に隙間を形成しつつ本体に固定され、窪みを、排出部が形成されている後室と排出部が形成されない前室に区切るための仕切りを有するものである。【００１０】  また、本観点において、限定されるわけではないが、前室にて液体をすくい、前室には液体の浮遊物を残し、後室の前記排出部にて浮遊物が分離された液体を排出部にて排出させるためのものであることが好ましい。【００１１】  また、本観点において、限定されるわけではないが、隙間の上端は、前記排出部の下端より低い位置にあることが好ましい。【００１２】  また、本観点において、限定されるわけではないが、仕切りの上端は本体の縁部と同一高さかそれ以上の高さとなっていることが好ましい。
【考案の効果】
【００１３】  以上、本考案によって、調理具としても使用可能であり、より確実にあくのみを除去することができるあく取り器を提供することができる。
【図面の簡単な説明】
【００１４】
【図１】実施形態に係るあく取り器の上面図である。
【図２】実施形態に係るあく取り器の側面から見た断面図である。
【図３】実施形態に係るあく取り器の後室側の背面図である。
【図４】実施形態に係るあく取り器の使用状態に関するイメージ図である。
【考案を実施するための形態】
【００１５】  以下、本考案の実施形態について図面を用いて詳細に説明する。ただし、本考案は異なる形態による実施が可能であり、以下に示す実施形態に記載の例示にのみ限定されるわけではない。
【００１６】（構成）
図１は、本実施形態に係るあく取り器（以下「本あく取り器」という。）１の上面図であり、図２は、あく取り器１の側面から見た断面図であり、図３はあく取り器１の後室側の背面図である。
【００１７】  これらの図で示すように、本あく取り器Ｓは、窪み１１を備え、縁部１２近傍に排出部１３が形成された本体１と、下部に隙間２１を形成しつつ本体１に固定され、窪み１１を、排出部１３が形成されている後室１４と排出部が形成されない前室１５に区切るための仕切り２を有するものである。
【００１８】  また、本あく取り器Ｓは、本体１に取り付けられる取っ手３を備えている。取っ手３を備えることで使用者は料理を行う際、このあく取り器を自在に操作することが可能となる。
【００１９】  より具体的に説明すると、使用者は、本あくとり器Ｓの前室１５を用いて液体をすくい、前室１５には液体の浮遊物を残し、後室１４の排出部１３にて浮遊物が分離された液体を排出部にて排出させることができる。
【００２０】  本あく取り器１における本体１は、上記の通り、窪み１１を備え、縁部１２近傍に排出部１３が形成されているものであり、いわゆるおわん型の形状になっていることが好ましいが、窪み１１により液体を保持することができる限りにいて形状は限定されない。
【００２１】  本体１の材質も特に限定されるわけではないが、ある程度の硬さを備えていることが好ましく、例えば木材、金属、プラスチック等を用いることができる。
【００２２】  また、本体１には、上記の通り、排出部１３が形成されている。排出部１３は、本体１の縁部１２近傍に形成されており、窪み１１の底からある程度の高さの位置にある。このようにすることで、所定量の液体を保持することができるとともに、これ以上の液体はこの排出部１３から排出させることができる。
【００２３】  排出部１３の構成としては、限定されるわけではないが、孔であることは好ましい形態である。特に、比較的小さな孔が複数形成されていると、料理の具等の大きな部材はそのまま本体１の窪みに残し、液体のみを本体１から排出させることができるようになる。
【００２４】  また、本あく取り器Ｓは、本体１に仕切り２を備えている。仕切り２は、上記の通り、下部に隙間２１を形成しつつ本体１に固定され、窪み１１を、排出部１３が形成されている後室１４と排出部が形成されない前室１５に区切ることができる。
【００２５】  また、本あく取り器Ｓにおいて、仕切り２における隙間２１の上端２１１は、排出部１３の下端１３１より低い位置にあることが好ましい。このようにすることで、窪み１１に液体を保持させつつも仕切り２によって、浮遊物をせき止めることができるようになる。そして、この本体を傾け、排出部１３側から液体を排出させることで、浮遊物を前室１５側に残すことが可能となる。この場合のイメージを図４に示しておく。
【００２６】  また、本あく取り器Ｓにおいて、限定されるわけではないが、仕切り２の上端は本体１の縁部１２と同一高さかそれ以上の高さとなっていることが好ましい。このようにすることで、浮遊物が後室１４に混入してしまうことを防ぐことが可能となる。
【００２７】  また、上記の通り、本あく取り器Ｓは、本体１に取っ手３を設けているが、取っ手の位置については限定されない。吊り下げ型も可として、棒状の物を取り付けすくうことも可とし支持方法は特定されない。
【００２８】（操作方法）
上記した通り、本あく取り器Ｓの構成によると、本あく取り器Ｓの効果は明確であるが、念のため以下に本あく取り器Ｓを用いたあく取り方法について説明する。
【００２９】    まず、使用者は、あく取り器Ｓの取っ手をつかみ、料理など液体中にあく取り器の前室１１を浸し、前室１１に浮遊物とともに液体を収容させる。
【００３０】  すると、液体は前室１１から仕切り２の下部の隙間２１を介して後室にも入り込む。しかしながら、液体の表面がこの隙間２１の上端２１１（仕切２の下端でもある）より上である場合、この液体の表面に浮遊する浮遊物は仕切り２を超えることはできず、前室１１に残ることになる。
【００３１】  そして、使用者は、取っ手３を操作しながら本体１を傾け、前室１１に浮遊物を残し、排出部１３から液体のみを外部に排出する（料理に戻す）ことができるようになる（上記図４参照）。そして、使用者はこの前室１１に残った浮遊物を不要物として分離・除去することができる。すなわち、本あく取り器Ｓは、前室にて液体をすくい、前室には液体の浮遊物を残し、後室の排出部にて浮遊物が分離された液体を排出部にて排出させることができる。
【００３２】  以上、本考案によって、調理具としても使用可能であり、より確実にあくのみを除去することができるあく取り器を提供することができる。より具体的に説明すると、前室１１は「おたま」の形状のため、通常の料理に普通に使用が可能なため、このあく取り器１つにて料理の盛り付け・スープをかける等料理が完結出来る。
【００３３】  上述の様に、本考案のあく取り器は、必要な液体と浮遊物を確実に分離することが可能となり、従来技術のように液体表面に浮かぶ浮遊物の除去時に液体本体を同時に除去してしまうことを防止し、誰でも、浮遊物を簡単に除去できる。
【産業上の利用可能性】
【００３４】  本項案は、あく取り器として産業上の利用可能性がある。
【符号の説明】
【００３５】Ｓ・・・あく取り器
１・・・本体
１１・・前室
１２・・後室
１３・・液体排出用隙間
１３１・排出部下端
２・・・仕切板
２１・・仕切板下部隙間
２１１・仕切り板下端
３・・・持ち手
【図１】
0003229068.tif 000003
【図２】
0003229068.tif 000004
【図３】
0003229068.tif 000005
【図４】
0003229068.tif 000006